(57)【特許請求の範囲】
【請求項１】
下面が開口するヘッドレール（１０）に配設されたドラムケース（１１）と、前記ドラムケースに回転自在に収容された巻取りドラム（１）と、先端が前記ドラムケースの内部に通される昇降コード（２０）と、前記巻取りドラムの一側に一体回転するように設けたキャッチ（４）と、前記昇降コードの先端に付設されて前記巻取りドラムに脱着かつ摺動自在に外嵌されたクリップ（５）とからなり、前記キャッチは保持部（７）を一体に備え、前記クリップは前記保持部と脱着可能にかつ一体回転可能に結合する結合部（６）を有することを特徴とする昇降コードの巻取りドラムへの連結機構。
【請求項２】
前記クリップ（５）は弾性的に前記巻取りドラムに外嵌するＣ字形のフック（８）を備え、前記結合部（６）は前記フックから突出するノブとして形成され、前記保持部（７）は前記ノブが軸方向に出入するスリットとして形成されたことを特徴とする請求項１記載の昇降コードの巻取りドラムへの連結機構。
【発明の詳細な説明】
【０００１】
【発明の属する技術分野】
本発明は、たくし上げカーテン等の昇降コード巻取り装置の巻取りドラムに昇降コードを連結する機構に関する。
【０００２】
【従来の技術】
たくし上げカーテンの昇降コード巻取り装置において、巻取りドラムにフランジを設け、そのフランジに軸方向の挿通孔をあけ、その挿通孔に昇降コードの一端を通し、その昇降コードの一端に結び目を設けて昇降コードを巻取りドラムに連結する機構は、実公平５−９８８９により公知である。
【０００３】
【発明が解決しようとする課題】
たくし上げカーテンのスクリーンをクリーニングするとき、スクリーンはヘッドレールから外してクリーニングされ、再びヘッドレールに取り付けられる。このとき、公知の機構は、ヘッドレール内において、巻取りドラムのフランジの挿通孔に通した昇降コード端部の結び目を解くことは困難であるから、すなわち、昇降コードと巻取りドラムの連結を解除することが容易ではないから、昇降コードをヘッドレール側に残してスクリーンを外さなくてはならなかった。このため、スクリーンを外すときは、スクリーンに設けた多数のリング一つ一つから昇降コードを抜き、スクリーンを再び取り付けるときは昇降コードをそのリング一つ一つに通さなければならなかった。この昇降コードを多数のリング一つ一つに通すことは非常に手間のかかる厄介な作業であった。
【０００４】
本発明はこの問題を解決することを課題とするものであり、その目的とするところは、昇降コードをスクリーンに付けたままスクリーンをヘッドレールから外すことが可能な、すなわち昇降コードをヘッドレールの巻取りドラムから容易に外すことも取り付けることも可能な昇降コードと巻取りドラムの連結機構を提供することにある。
【０００５】
【課題を解決するための手段】
前記目的を達成するため、本発明が採用する手段は、巻取りドラムの一側に一体回転するキャッチを設け、昇降コードの先端に取り付けたクリップを巻取りドラムに摺動自在に脱着自在に外嵌し、そのクリップをキャッチに脱着自在にかつ一体回転するように保持させたことにある。
【０００６】
巻取りドラムに外嵌する嵌合部と、キャッチと結合する結合部とをクリップに形成し、キャッチにその結合部を脱着自在にかつ一体回転するように保持する保持部を形成する。
昇降コードの先端はクリップの結合部に脱着可能に係止し、クリップの嵌合部は例えばＣ字形のフックに形成して弾性的に巻取りドラムに外嵌させることが望ましい。クリップの結合部は例えばノブに形成し、キャッチの保持部はそのノブがはまり込むスリットに形成することが好ましい。キャッチは巻取りドラムの一側のフランジと一体に形成することが望ましい。
【０００７】
【発明の実施の形態】
本発明の機構を図面に示す実施例に基づいて説明する。
図１及び図２に示すように、円柱体の巻取りドラム１の両端部にフランジ２、３を一体に又は脱着自在に固定する。その一側のフランジ２はキャッチ４と一体に成形する。キャッチ４は保持部としてスリット７を有する欠円環体であり、その内周面と巻取りドラム１の巻取り面１５の間には環状スペース１４が生じる。巻取りドラム１は回転軸９に一体回転するように外嵌されて、ドラムケース１１に収容される。ドラムケース１１はロック１７を介してヘッドレール１０に固定される。ドラムケース１１にキャッチ４の回転外周面に沿う内周面１２を設ける。その内周面１２はドラムケース１１の底穴１３と交差する。クリップ５の昇降コード穴１６に通した昇降コード２０の先端に結び目２１を作り、昇降コード２０の先端にクリップ５を係止する。クリップ５は弾性に富む合成樹脂成形品であり、嵌合部としてのＣ字形のフック８とそのフックの中央から外方に突出する結合部としてのノブ６を有する。フック８は弾性的に開閉して巻取りドラム１に外嵌する。フック８を巻取りドラム１に外嵌したクリップ５は回動することも摺動することも可能である。巻取りドラム１とキャッチ４の間のスペース１４はクリップ５のフック８が、キャッチ４のスリット７はクリップ５のノブ６がそれぞれきっちりはまり込むように形成してあるから、ノブ６とスリット７の角度方向を合致させてクリップ５を巻取りドラム１の一側へ寄せると、クリップ５はキャッチ４の中にすっぽりはまり、巻取りドラム１と一体に回転するようになる。
【０００８】
図外のスクリーンの多数のリングに通された昇降コード２０と巻取りドラム１との連結は次のとおりである。
始めに、図２の鎖線で示すように、昇降コード２０の先端のクリップ５をヘッドレール１０の開口からドラムケース１１の底穴１３に通して巻取りドラム１の中央部分に弾性的にはめる。次に、回転軸９を回してキャッチ４のスリットを真下に向ける。このときクリップ５のノブも真下に向ける。それから、矢印で示すように、クリップ５を摺動させてキャッチ４にすっぽりはめ込む。これで、昇降コード２０の巻取りドラム１への連結は完了し、回転軸９を回転すると、昇降コード２０は巻取りドラム１に巻き上げられ、図外のスクリーンは上昇する。
【０００９】
昇降コード２０を巻取りドラム１から外すときは、回転軸９を逆転して図外のスクリーンを下降させると共に、キャッチ４のスリットを真下に向ける。そこで、クリップ５を巻取りドラム１の中央へ摺動させてクリップ５をキャッチ４から外す。ついで昇降コード２０を下へ少し強く引くと、クリップ５は巻取りドラム１から外れ、昇降コード２０は図外のスクリーンと共に巻取りドラム１から分離する。このように、昇降コード２０の巻取りドラム１への脱着は至極容易である。
【００１０】
【発明の効果】
上記のとおり、本発明の連結機構は、昇降コードをスクリーンのリングから抜かないと、スクリーンをヘッドレールから外すことができなかったものとは異なり、スクリーンを昇降コードと共にヘッドレールから外すことが可能であるから、スクリーンを洗濯等のためにヘッドレールから外すときに、スクリーンのリングに昇降コードを通したり抜いたりする必要がなくなるという優れた効果を奏する。
【図面の簡単な説明】
【図１】本発明の一実施例の機構の分解斜視図、
【図２】図１の機構を備えたたくし上げカーテンの要部の斜視図であり、昇降コードを巻取りドラムに巻き上げる前の状態を示す。
【符号の説明】
１：巻取りドラム
２、３：フランジ
４：キャッチ
５：クリップ
６：ノブ（結合部）
７：スリット（保持部）
８：フック（嵌合部）
９：回転軸
１０：ヘッドレール
１１：ドラムケース
１２：内周面
１３：底穴
１４：スペース
１５：巻取り面
１６：昇降コード穴
１７：ロック
２０：昇降コード
２１：結び目
【図１】
0003841192.tif 000002
【図２】
0003841192.tif 000003